(57)【要約】【課題】ビーム管理のためのセルグループ化。【解決手段】一実施形態によれば、方法は、ユーザ装置によって、１つ以上のサービングセルを備えるビーム管理グループを決定することを含むことができる。この方法は、ユーザ装置によって、ビーム管理グループの少なくとも１つのサービングセル上のビーム障害を検出することをさらに含むことができる。本方法は、ユーザ装置によって、ビーム管理グループの少なくとも１つのサービングセルにビーム障害回復要求を伝達することをさらに含むことができる。【選択図】図３
2021521703.tif 000002
【特許請求の範囲】
【請求項１】
ユーザ装置によって、１つ以上のサービングセルを備えるビーム管理グループを決定するステップと、
前記ユーザ装置によって、前記ビーム管理グループの少なくとも１つのサービングセル上のビーム障害を検出するステップと、
前記ユーザ装置によって、ビーム障害回復要求を前記ビーム管理グループの前記少なくとも１つのサービングセルに伝達するステップと、
を含む方法。
【請求項２】
物理ダウンリンク制御チャネルを介して前記ビーム管理グループの前記少なくとも１つのサービングセルからビーム障害回復応答を受信することに応答して、前記ユーザ装置によって、前記ビーム管理グループの前記１つ以上のサービングセルのそれぞれのビーム障害回復手順を終了するステップをさらに含む、請求項１に記載の方法。
【請求項３】
前記１つ以上のサービングセルは、１つ以上のプライマリ・サービングセルおよび１つ以上のセカンダリ・サービングセルである、請求項１または２に記載の方法。
【請求項４】
前記ビーム管理グループは、タイミング・アドバンス・グループに関連付けられる、請求項１ないし３のいずれか１項に記載の方法。
【請求項５】
前記ビーム管理グループの前記１つ以上のサービングセルは、物理ダウンリンク制御チャネルのための共通の送信構成インデックス状態を共有する、請求項１ないし４のいずれか１項に記載の方法。
【請求項６】
前記ビーム管理グループの前記１つ以上のサービングセルは、共通のビーム障害検出基準信号を共有する、請求項１ないし４のいずれか１項に記載の方法。
【請求項７】
前記ビーム障害検出基準信号は、ネットワークによって規定されるダウンリンク基準信号である、請求項６に記載の方法。
【請求項８】
前記ビーム管理グループは、
１回目に、物理ダウンリンク制御チャネルのための共通の伝達構成インデックス状態を共有する１つ以上のサービングセルによって規定され、２回目に、共通のビーム障害検出基準信号を共有する１つ以上のサービングセルによって規定されるか、
または、
１回目に、共通のビーム障害検出基準信号を共有する１つ以上のサービングセルによって規定され、２回目に、物理ダウンリンク制御チャネルのための共通の伝達構成インデックス状態を共有する１つ以上のサービングセルによって規定される、
請求項１ないし７のいずれか１項に記載の方法。
【請求項９】
前記ビーム管理グループは、無線リソース制御信号によって規定される、請求項１ないし８のいずれか１項に記載の方法。
【請求項１０】
前記ビーム障害回復応答は、前記ビーム管理グループ内の前記サービングセルのうちの１つから、前記ユーザ装置に関連付けられた前記セル無線ネットワーク一時識別子にアドレス指定された物理ダウンリンク制御チャネルを備える、請求項２ないし９のいずれか１項に記載の方法。
【請求項１１】
前記ビーム障害回復応答は、前記ビーム障害回復要求が送信される前記サービングセルからのユーザ装置のセル無線ネットワーク一時識別子にアドレス指定された物理ダウンリンク制御チャネルである、請求項２ないし１０のいずれか１項に記載の方法。
【請求項１２】
前記ビーム管理グループ内のプライマリ・セルは、前記ビーム管理グループの前記障害検出セルである、請求項１ないし１１のいずれか１項に記載の方法。
【請求項１３】
第２のビーム管理グループは複数のセカンダリ・サービングセルを有し、少なくとも１つのセカンダリ・サービングセルは、障害検出セルとして構成される、請求項１ないし１２のいずれか１項に記載の方法。
【請求項１４】
前記ユーザ装置は、１つ以上の追加のビーム管理グループに関連する１つ以上のサービングセルと通信状態である、請求項１ないし１３のいずれか１項に記載の方法。
【請求項１５】
１つ以上のサービングセルを備えるビーム管理グループのサービングセルによって、ユーザ装置からビーム障害回復要求を受信するステップと、
前記サービングセルによって、物理ダウンリンク制御チャネルを介して、１つ以上のビーム障害回復応答をユーザ装置に送信するステップであって、前記１つ以上のビーム障害回復応答は、前記１つ以上のビーム障害回復応答の受信に応答して、前記ビーム管理グループのビーム障害回復手順を終了するように前記ユーザ装置に命令する、ステップと、
を含む、方法。
【請求項１６】
前記１つ以上のサービングセルは、１つ以上のプライマリ・サービングセルおよび１つ以上のセカンダリ・サービングセルである、請求項１５に記載の方法。
【請求項１７】
前記１つ以上のサービングセルのそれぞれが、第１のビーム管理グループまたは第２のビーム管理グループに関連付けられる、請求項１５または１６に記載の方法。
【請求項１８】
前記ビーム管理グループは、物理ダウンリンク制御チャネルのための共通の送信構成インデックス状態を共有する１つ以上のサービングセルとして規定される、請求項１５ないし１７のいずれか１項に記載の方法。
【請求項１９】
前記ビーム管理グループは、共通のビーム障害検出基準信号を共有する１つ以上のサービングセルとして規定される、請求項１５ないし１７のいずれか１項に記載の方法。
【請求項２０】
前記ビーム管理グループは、１回目において、物理ダウンリンク制御チャネルのための共通の伝達構成インデックス状態を共有する１つ以上のサービングセルによって規定され、２回目において、共通のビーム障害検出基準信号を共有する１つ以上のサービングセルによって規定されるか、
または、
１回目において、共通のビーム障害検出基準信号を共有する１つ以上のサービングセルによって規定され、２回目において、物理ダウンリンク制御チャネルのための共通の伝達構成インデックス状態を共有する１つ以上のサービングセルによって規定される、
請求項１５ないし１９のいずれか１項に記載の方法。
【請求項２１】
前記ビーム障害回復応答は、前記ビーム管理グループ内の前記サービングセルのうちの１つから、前記ユーザ装置に関連付けられた前記セル無線ネットワーク一時識別子にアドレス指定された物理ダウンリンク制御チャネルを備える、請求項１５ないし２０のいずれか１項に記載の方法。
【請求項２２】
前記ビーム管理グループ内のプライマリ・セルは、前記ビーム管理グループの障害検出セルである、請求項１５ないし２１のいずれか１項に記載の方法。
【請求項２３】
第２のビーム管理グループは複数のセカンダリ・サービングセルを有し、前記複数のセカンダリ・サービングセルに関連する前記セカンダリ・サービングセルインデックスのうちの最も低いセルインデックスに関連する該セカンダリ・サービングセルは、前記障害検出セルである、請求項１５ないし２２のいずれか１項に記載の方法。
【請求項２４】
少なくとも１つのプロセッサと、コンピュータ・プログラムコードを含む少なくとも１つのメモリとを含む装置であって、前記少なくとも１つのメモリと、前記コンピュータ・プログラムコードとは、前記少なくとも１つのプロセッサを用いて、前記装置に、少なくとも、請求項１ないし２３のいずれか１項に記載のプロセスを実行させるように構成されている、装置。
【請求項２５】
ハードウェアで実行されるときに、請求項１ないし２３のいずれか１項に記載のプロセスを実行する、非一時的コンピュータ可読メディア符号化命令。
【請求項２６】
請求項１ないし２３のいずれか１項に記載のプロセスを実施するための手段を備える装置。
【発明の詳細な説明】
【技術分野】
【０００１】
いくつかの実施形態は無線通信システムに関係することができ、例えば、いくつかの実施形態は、ビームフォーミング技術に関係することができる。
【背景技術】
【０００２】
ランダムアクセスチャネル（ＲＡＣＨ）手順は、コンテンションフリーランダムアクセス（ＣＦＲＡ）およびコンテンションベース・ランダムアクセス（ＣＢＲＡ）を含むことができ、プライマリ・セル上のビーム障害回復手順のためにユーザ装置によって開始されることができる。しかしながら、ビーム障害回復技術がセカンダリ・サービングセルで機能しない場合には、セルが存在する。たとえば、プライマリ・サービングセルと同じ場所にないセカンダリ・サービングセルは、ビーム障害回復手順を誤って完了する可能性がある。したがって、プライマリ・サービングセルおよびセカンダリ・サービングセルの両方で動作するビーム障害回復手順が必要とされている。
【発明の概要】
【０００３】
一実施形態によれば、本願方法は、ユーザ装置によって、１つ以上のサービングセルを備えるビーム管理グループを決定することを含むことができる。この方法は、ユーザ装置によって、ビーム管理グループの少なくとも１つのサービングセル上のビーム障害を検出することをさらに含むことができる。本方法は、ユーザ装置によって、ビーム管理グループの少なくとも１つのサービングセルにビーム障害回復要求を伝達することをさらに含むことができる。本方法は、物理ダウンリンク制御チャネルを介してビーム管理グループの少なくとも１つのサービングセルからビーム障害回復応答を受信することに応答して、ユーザ装置によって、ビーム管理グループの１つ以上のサービングセルのそれぞれのためのビーム障害回復手順を終了することをさらに含むことができる。
【０００４】
一実施形態によれば、装置は、少なくとも１つのプロセッサと、コンピュータ・プログラムコードを含む少なくとも１つのメモリとを含むことができる。少なくとも１つのメモリおよびコンピュータ・プログラムコードは少なくとも１つのプロセッサを用いて、装置に、１つ以上のサービングセルを備えるビーム管理グループを少なくとも決定させるように構成され得る。少なくとも１つのメモリおよびコンピュータ・プログラムコードは少なくとも１つのプロセッサを用いて、装置に、ビーム管理グループの少なくとも１つのサービングセル上のビーム障害を少なくとも検出させるようにさらに構成され得る。少なくとも１つのメモリおよびコンピュータ・プログラムコードは少なくとも１つのプロセッサを用いて、装置に、ビーム管理グループの少なくとも１つのサービングセルにビーム障害回復要求を少なくとも送信させるようにさらに構成され得る。少なくとも１つのメモリおよびコンピュータ・プログラムコードは、少なくとも１つのプロセッサを用いて、装置に、物理ダウンリンク制御チャネルを介してビーム管理グループの少なくとも１つのサービングセルからビーム障害回復応答を受信することに少なくとも応答して、ビーム管理グループの１つ以上のサービングセルのそれぞれのビーム障害回復手順を終了させるようにさらに構成され得る。
【０００５】
一実施形態によれば、装置は、１つ以上のサービングセルを備えるビーム管理グループを決定するための手段を含み得る。前記ビーム管理グループの少なくとも１つのサービングセルでビーム障害を検出する手段をさらに含むことができる。前記ビーム管理グループの少なくとも１つのサービングセルにビーム障害回復要請を伝送する手段をさらに含むことができる。装置は、物理ダウンリンク制御チャネルを介してビーム管理グループの少なくとも１つのサービングセルからビーム障害回復応答を受信することに応じて、ビーム管理グループの１つ以上のサービングセルのそれぞれのためのビーム障害回復プロシージャをユーザ装置によって終了させるための手段をさらに含むことができる。
【０００６】
非一時的コンピュータ可読メディアは、特定の実施形態ではハードウェアで実行されるとプロセスを実行する命令で符号化されることができる。このプロセスは、ユーザ装置によって、１つ以上のサービングセルを備えるビーム管理グループを決定するための方法を含むことができる。このプロセスは、ユーザ装置によって、ビーム管理グループの少なくとも１つのサービングセル上のビーム障害を検出するための方法をさらに含むことができる。このプロセスは、ビーム管理グループの少なくとも１つのサービングセルにビーム障害回復要求をユーザ装置によって送信するための方法をさらに含むことができる。このプロセスは、物理ダウンリンク制御チャネルを介してビーム管理グループの少なくとも１つのサービングセルからビーム障害回復応答を受信することに応答して、ユーザ装置によって、ビーム管理グループの１つ以上のサービングセルのそれぞれのためのビーム障害回復手順を終了させるための方法をさらに含むことができる。
【０００７】
コンピュータ・プログラム製品は特定の実施形態によれば、プロセスを実行するための命令を符号化することができる。このプロセスは、１つ以上のサービングセルを備えるビーム管理グループを決定することができる方法を含むことができる。このプロセスは、ビーム管理グループの少なくとも１つのサービングセル上でビーム障害を検出することができる方法をさらに含むことができる。プロセスは、ビーム管理グループの少なくとも１つのサービングセルにビーム障害回復要求を送信することができる方法をさらに含むことができる。このプロセスは、物理ダウンリンク制御チャネルを介してビーム管理グループの少なくとも１つのサービングセルからビーム障害回復応答を受信することに応答して、ビーム管理グループの１つ以上のサービングセルのそれぞれについてビーム障害回復手順を終了することができる方法をさらに含むことができる。
【０００８】
ある実施形態によれば、装置は、ユーザ装置によって、１つ以上のサービングセルを備えるビーム管理グループを決定するための回路を含み得る。また、装置は、ビーム管理グループの少なくとも１つのサービングセル上のビーム障害をユーザ装置によって検出するための回路を含むことができる。装置はまた、ビーム管理グループの少なくとも１つのサービングセルに、ユーザ装置によって、ビーム障害回復要求を伝達するための回路を含むことができる。装置はまた、物理ダウンリンク制御チャネルを介してビーム管理グループの少なくとも１つのサービングセルからビーム障害回復応答を受信することに応答して、ビーム管理グループの１つ以上のサービングセルのそれぞれのためのビーム障害回復手順をユーザ装置によって終了させるための回路を含むことができる。
【０００９】
一実施形態によれば、方法は、複数のサービングセルのうちのサービングセルによって、ユーザ装置からビーム障害回復要求を受信することを含むことができる。この方法は、サービングセルによって、物理ダウンリンク制御チャネルを介して、１つ以上のビーム障害回復応答をユーザ装置に伝達することをさらに含むことができる。１つ以上のビーム障害回復応答は、１つ以上のビーム障害回復応答を受信することに応答して、１つ以上のサービングセルのそれぞれのビーム障害回復手順を終了するようにユーザ装置に指示する。
【００１０】
一実施形態によれば、装置は、少なくとも１つのプロセッサと、コンピュータ・プログラムコードを含む少なくとも１つのメモリとを含むことができる。少なくとも１つのメモリおよびコンピュータ・プログラムコードは、少なくとも１つのプロセッサを用いて、装置に、ユーザ装置からのビーム障害回復要求を少なくとも受信させるように構成され得る。少なくとも１つのメモリおよびコンピュータ・プログラムコードは少なくとも１つのプロセッサを用いて、装置に、物理ダウンリンク制御チャネルを介して、１つ以上のビーム障害回復応答をユーザ装置に少なくとも送信させるようにさらに構成され得る。１つ以上のビーム障害回復応答は、１つ以上のビーム障害回復応答を受信することに応答して、１つ以上のサービングセルのそれぞれのビーム障害回復手順を終了するようにユーザ装置に指示する。
【００１１】
一実施形態によれば、装置は、複数のサービングセルのうちのサービングセルによって、ユーザ装置からのビームフォールト回収量リクエストを受信するための手段を含み得る。該装置は、物理ダウンリンク制御チャンネルを介して、該サービングセルにより、該ユーザ装置への１つ以上のビームフォール回収量応答を伝達するための手段を更に含むことができる。１つ以上のビーム障害回復応答は、１つ以上のビーム障害回復応答を受信することに応答して、１つ以上のサービングセルのそれぞれのビーム障害回復手順を終了するようにユーザ装置に指示する。
【００１２】
非一時的コンピュータ可読メディアは、特定の実施形態ではハードウェアで実行されるとプロセスを実行する命令で符号化されることができる。このプロセスは、複数のサービングセルのうちのサービングセルによって、ユーザ装置からビーム障害回復要求を受信するための方法を含むことができる。このプロセスは、サービングセルによって、物理ダウンリンク制御チャネルを介して、１つ以上のビーム障害回復応答をユーザ装置に送信するための方法をさらに含むことができる。１つ以上のビーム障害回復応答は、１つ以上のビーム障害回復応答を受信することに応答して、１つ以上のサービングセルのそれぞれのビーム障害回復手順を終了するようにユーザ装置に指示する。
【００１３】
コンピュータ・プログラム製品は特定の実施形態によれば、プロセスを実行するための命令を符号化することができる。このプロセスは、ユーザ装置からビーム障害回復要求を受信することができる方法を含むことができる。このプロセスは、物理ダウンリンク制御チャネルを介して、１つ以上のビーム障害回復応答をユーザ装置に送信することができる方法をさらに含むことができる。１つ以上のビーム障害回復応答は、１つ以上のビーム障害回復応答を受信することに応答して、１つ以上のサービングセルのそれぞれのビーム障害回復手順を終了するようにユーザ装置に指示する。
【００１４】
ある実施形態によれば、装置は、複数のサービングセルのうちのサービングセルによって、ユーザ装置からのビーム障害回復要求を受信するための回路を含み得る。また、装置は、物理ダウンリンク制御チャネルを介して、ユーザ装置に対して１つ以上のビーム障害回復応答を伝達するための回路を含むことができる。１つ以上のビーム障害回復応答は、１つ以上のビーム障害回復応答を受信することに応答して、１つ以上のサービングセルのそれぞれのビーム障害回復手順を終了するようにユーザ装置に指示する。
【図面の簡単な説明】
【００１５】
本開示を適切に理解するために、添付の図面を参照すべきである。
【図１】図１は、特定の実施形態によるシステムの一例を示す。
【図２】図２は、特定の実施形態による信号フロー図を示す。
【図３】図３は、特定の実施形態による、ユーザ装置によって実行される方法の例を示す。
【図４】図４は、特定の実施形態による、サービングセルによって実行される方法の例を示す。
【図５】図５は、単一ビーム管理グループによるビーム障害検出及び回復のためにダウンリンク基準信号を使用する際の技術を示す。
【図６】図６は、複数のビーム管理グループによるビーム障害検出及び回復のためにダウンリンク基準信号を使用する際の技術を示す。
【発明を実施するための形態】
【００１６】
本明細書全体にわたって説明される特定の実施形態の特徴、構造、または特性は、１つ以上の実施形態において任意の適切な方法で組み合わせることができる。例えば、本明細書全体を通して、用語「特定の実施形態」、「いくつかの実施形態」、「他の実施形態」、または他の同様の言葉の使用は、実施形態に関連して説明された特定の特徴、構造、または特性が本発明の少なくとも１つの実施形態に含まれ得るという事実を指し、したがって、本明細書全体を通して、用語「特定の実施形態において」、「いくつかの実施形態において」、「他の実施形態において」、「他の実施形態において」、または他の同様の言葉の出現は、必ずしも実施形態の同じグループを指すものではなく、説明された特徴、構造、または特性は１つ以上の実施形態において任意の適切な方法で組み合わされ得る。以下で説明するいくつかの実施形態はＬＴＥ第５世代に関連するが、他の実施形態はＬＴＥ−Ａ、ＬＴＥ第４世代、物のインターネット（ＩｏＴ）、および新しいラジオ（ＮＲ）に関連し得る。
【００１７】
図１は、特定の実施形態によるシステムを示す。一実施形態では、システムが、例えば、１つ以上のユーザ装置（ＵＥ）１１０、プライマリ・サービングセル１２０、および１つ以上のセカンダリ・サービングセル１３０などの複数のデバイスを含むことができる。ＵＥ１１０は、携帯電話、スマートフォン、携帯情報端末（ＰＤＡ）、タブレット、またはポータブルメディアプレーヤなどのモバイル装置、デジタルカメラ、ポケットビデオカメラ、ビデオゲームコンソール、全地球測位システム（ＧＰＳ）装置などのナビゲーションユニット、デスクトップまたはラップトップコンピュータ、センサまたはスマートメータなどのシングルロケーション装置、あるいはそれらの任意の組合せを含み得る。プライマリ・サービングセル１２０およびセカンダリ・サービングセル１３０は、発展型ノードＢ（ｅＮＢ）または次世代ノードＢ（ｇＮＢ）、次世代無線アクセスネットワーク（ＮＧ  ＲＡＮ）、モビリティ管理エンティティ（ＭＭＥ）、サービングゲートウェイ、サーバ、および／または任意の他のアクセスノード、またはそれらの組合せなどの基地局とすることができる。さらに、市民ブロードバンド無線サービス（ＣＢＲＳ）装置（ＣＢＳＤ）は、ＵＥ１１０のようなユーザ装置、および／またはプライマリ・サービングセル１２０およびセカンダリ・サービングセル１３０のようなサービングセルを含みうる。
【００１８】
デバイス１１０、１２０、１３０は、それぞれ１１１、１２１、１３１として示される少なくとも１つのプロセッサと、１１２、１２２、１３２として示される少なくとも１つのメモリとを含むことができる。メモリは固定されている場合と取り外し可能な場合がある。メモリは、そこに含まれるコンピュータ・プログラム命令またはコンピュータ・コードを含むことができる。プロセッサ１１１、１２１、および１３１、ならびにメモリ１１２、１２２、および１３２、またはそれらのサブセットは、図２−６の様々なブロックに対応する手段を提供するように構成され得る。図示されていないが、装置は、また、全地球測位システム（ＧＰＳ）またはマイクロ電気機械システム（ＭＥＭＳ）ハードウェアのような位置決めハードウェアを含むことができ、これらハードウェアは装置の位置を決定するために使用されることができる。他のセンサも許容され、気圧計、コンパスなどの位置、仰角、方向などを決定するために含まれることができる。
【００１９】
図１に示すように、トランシーバ１１３、１２３、および１３３を設けることができ、装置は、それぞれ１１４、１２４、および１３４として示す少なくとも１つのアンテナを含むこともできる。装置は、多入力多出力（ＭＩＭＯ）通信のために構成されたアンテナのアレイ、又は多重無線アクセス技術のための多重アンテナのような多くのアンテナを有することができる。例えば、これらの装置の他の構成が提供されることができる。
【００２０】
トランシーバ１１３、１２３、および１３３は、送信機、受信機、または送信機および受信機の両方、または送信および受信の両方のために構成され得るユニットまたはデバイスであり得る。
【００２１】
プロセッサ１１１、１２１、および１３１は、中央処理装置（ＣＰＵ）、特定用途向け集積回路（ＡＳＩＣ）、または同等の装置など、任意の計算またはデータ処理装置によって実施することができる。プロセッサは、単一のコントローラ、または複数のコントローラまたはプロセッサとして実装されることができる。
【００２２】
メモリ１１２、１２２、および１３２は、独立して、非一時的なコンピュータ可読メディアなどの任意の適切なメモリとすることができる。ハードディスクドライブ（ＨＤＤ）、ランダムアクセスメモリ（ＲＡＭ）、フラッシュメモリ、またはその他の適切なメモリを使用することができる。メモリは、プロセッサとして単一の集積回路上に結合されることができ、またはプロセッサとは別個であることができる。さらに、メモリに記憶され、プロセッサによって処理され得るコンピュータ・プログラム命令は、任意の適切な形態のコンピュータ・プログラムコード、例えば、任意の適切なプログラミング言語で書かれたコンパイルまたは解釈されたコンピュータ・プログラムであることができる。
【００２３】
メモリおよびコンピュータ・プログラム命令は、特定の装置のためのプロセッサを用いて、ユーザ装置などのハードウェア装置に、以下に説明するプロセスのいずれかを実行させるように構成されることができる（例えば、図２−６を参照）。したがって、特定の実施形態では、非一時的コンピュータ可読メディアがハードウェアで実行されるときに、本明細書に記載するプロセスの１つのようなプロセスを実行するコンピュータ命令で符号化されることができる。あるいは、特定の実施形態が完全にハードウェアで実行されることができる。
【００２４】
特定の実施形態では、装置が図２−図６に示されたプロセスまたは機能のいずれかを実行するように構成された回路を含むことができる。例えば、回路は、アナログおよび／またはデジタル回路のようなハードウェア専用の回路実装であることができる。別の例では、回路は、アナログおよび／またはデジタルハードウェア回路と、ソフトウェアまたはファームウェアとの組合せ、ならびに／あるいは、ハードウェアプロセッサの任意の部分と、ソフトウェア（デジタル信号プロセッサを含む）、ソフトウェア、および装置に様々なプロセスまたは機能を実行させるために協働する少なくとも１つのメモリなどの、ハードウェア回路およびソフトウェアの組合せとすることができる。さらに別の例では、回路は、動作のためのファームウェアなどのソフトウェアを含む、マイクロプロセッサ（複数可）またはマイクロプロセッサ（複数可）の一部などのハードウェア回路（複数可）および／またはプロセッサ（複数可）とすることができる。回路内のソフトウェアは、ハードウェアの動作に必要とされない場合には存在しないことがある。
【００２５】
図２は、ユーザデバイス１１０などのユーザ装置２１０と、プライマリ・サービングセル１２０などのプライマリ・サービングセル２２０と、セカンダリ・サービングセル１３０などのセカンダリ・サービングセル２３０、２４０、および２５０との間のシグナリングを示す。いくつかの実施形態では、サービングセルのうちの１つ以上が１つ以上のビーム管理グループにグループ化され得る。例えば、図２において、ビーム管理グループ１は、プライマリ・サービスセルと、１つ以上のセカンダリ・サービスセルＧ１（１−Ｎ）とを含み、一方、ビーム管理グループＮは、１つ以上のセカンダリ・サービスセルＧＮ（１−Ｎ）を含むことができる。いくつかの実施形態では、ビーム管理グループがプライマリ・サービングセルと、１つ以上のセカンダリ・サービングセルとを含むことができる。いくつかの実施形態では、ビーム管理グループが１つ以上のセカンダリ・サービングセルのみを含むことができる。いくつかの実施形態では、ビーム管理グループがプライマリ・サービングセルのみを含むことができる。ステップ２０１において、ユーザ装置２１０は、ビーム障害回復手順のためのセルグループ化を決定することができる。ステップ２０３において、ユーザ装置２１０は、１つ以上のビーム管理グループに関連する１つ以上のサービングセルのためのビーム障害回復手順を開始することができる。例えば、ビーム管理グループ１においてビーム障害が検出された場合、ユーザ装置２１０は、プライマリ・サービングセル２２０および１つ以上のセカンダリ・サービングセル１−Ｎのような、ビーム管理グループ１における１つ以上のサービングセルのためのビーム障害回復手順を開始することができる。別の例では、ビーム管理グループＮにおいてビーム障害が検出された場合に、ユーザ装置２１０は、ビーム管理グループＮにおいてセカンダリ・サービングセルＮ−Ｎのような、ビーム管理グループＮ内の１つ以上のサービングセルについてのビーム障害回復手順を開始することができる。ステップ２０５において、ユーザ装置２１０は少なくとも１つのサービングセルにビーム障害回復要求を送信することができる。例えば、ユーザ装置２１０は、ビーム管理グループ１のプライマリ・サービングセル２２０および／または１つ以上のセカンダリ・サービングセル１−Ｎ、および／またはビーム管理グループＮのセカンダリ・サービングセルＮ−Ｎにビーム障害回復要求を送信することができる。ステップ２０７において、プライマリ・サービングセル２２０および／または１つ以上のセカンダリ・サービングセル１−Ｎはユーザ装置２１０に１つ以上のビーム障害回復応答を送信することができる。いくつかの実施形態では、ビーム管理グループ内の１つ以上のサービングセルがビーム障害検出監視機能を備えて構成されることができる。ステップ２０９において、ユーザ装置２１０は、ビーム障害回復要求を受信したサービングセルが属するビーム管理グループに関連するプライマリ・サービングセル２２０およびセカンダリ・サービングセル１−Ｎのそれぞれについて、ビーム障害回復手順を終了することができる。いくつかの実施形態では、ステップ２０７の終了がビーム障害回復応答を受信することに応答して実行されることができ、ビーム障害回復応答は、ビーム障害回復要求を受信したサービングセルが属するビーム管理グループに関連付けられたプライマリ・サービングセルおよび／またはセカンダリ・サービングセル１−Ｎのうちの少なくとも１つから受信される。いくつかの実施形態では、ビーム障害回復要求が、ランダムアクセス手順で使用されるランダムアクセスプリアンブルベースの要求（コンテンションフリー／専用またはコンテンションベースの要求）であることができる。いくつかの実施形態では、ビーム障害回復要求がＭＡＣ  ＣＥベースの要求であることができる。ＭＡＣ  ＣＥベースの要求は、障害が検出されなかったビーム管理グループのうちの少なくとも１つに送信され得る。
【００２６】
いくつかの実施形態では、ユーザ装置２１０は、ビーム障害が検出されたサービングセルおよび／またはビーム障害回復要求が送信されたサービングセルに関連する各サービングセルのビーム障害回復手順を終了することができる。例えば、プライマリ・サービングセル２２０および任意の数のセカンダリ・サービングセル１−Ｎは、１つ以上のビーム管理グループ、例えば、第１のビーム管理グループおよび第２のビーム管理グループに関連付けられることができ、ビーム管理グループに関連付けられた１つ以上のサービングセルは、１つ以上の特性を共有する。例えば、ビーム管理グループは、物理ダウンリンク制御チャネル（ＰＤＣＣＨ）、１つ以上のタイミング・アドバンス・グループ（ＴＡＧ）、および／または１つ以上の共通ビーム障害検出基準信号（ＢＦＤ−ＲＳ）のための１つ以上の共通伝送構成インデックス（ＴＣＩ）状態を共有する１つ以上のサービングセルとして規定することができる。いくつかの実施形態では、ＰＤＣＣＨのためのアクティブＴＣＩ状態は、ＰＤＣＣＨ復調基準信号（ＤＭＲＳ）と準コロケーション（ＱＣＬ）にある下りリンク基準信号、例えば、ＰＤＣＣＨのために使用されるビームに対応する下りリンク基準信号を示すことができる。いくつかの実施形態ではユーザ装置が少なくとも１つがアクティブである複数の構成されたＴＣＩ状態を有することができ、例えば、状態はＰＤＣＣＨのために示される。いくつかの実施形態では、ＱＣＬパラメータが遅延拡散、ドップラー拡散、ドップラーシフト、平均遅延、および／または空間Ｒｘパラメータを含むことができる。いくつかの実施形態では、ビームがＳＳ／ＰＢＣＨブロックおよび／またはＣＳＩ−ＲＳなどのダウンリンク基準信号によって識別されることができる。いくつかの実施形態では、共通ＢＦＤ−ＲＳがネットワークによって規定され得るダウンリンク基準信号（例えば、ＳＳ／ＰＢＣＨブロックおよび／またはＣＳＩ−ＲＳ）であり得、あるいは代替的にまたは追加的に、ユーザ装置によって生成され得る。ＢＦＤ−ＲＳは、ＣＳＩ−ＲＳリソース（またはリソースセット）インジケータ／インデックスおよび／またはＳＳ／ＰＢＣＨ時間ロケーションインデックスなどの識別子またはインデックスで参照され得る。いくつかの実施形態では、１つ以上のビーム管理グループが明示的無線リソース制御（ＲＲＣ）シグナリングおよび／または１つ以上のＴＡＧによって規定され得る。
【００２７】
特定の実施形態では、ビーム管理グループ内のプライマリ・サービングセルがビーム管理グループのデフォルト障害検出セルであることができる。いくつかの実施形態では、ビーム管理グループ（第１、第２、または第Ｎ）が複数のセカンダリ・サービングセルを有する場合、少なくとも１つのセカンダリ・サービングセルはネットワークによって明示的に障害検出セルとして構成される。明示的構成は、障害検出セルの暗黙的構成をオーバーライドすることができる。明示的な設定がＵＥに通知されない場合、ＵＥは暗黙的な設定を使用する可能性がある。いくつかの実施形態では、より一般的な観点において、ビーム管理グループが少なくとも２つのサービングセルを備える場合、ネットワークはＲＲＣまたはＲＲＣ＋ＭＡＣ信号を介して障害検出セルを明示的に構成することができる。いくつかの実施形態では、ビーム管理グループが複数のセカンダリ・サービングセルを有することができ、複数のセカンダリ・サービングセルの各々はＴＣＩ状態に関連付けることができ（ＴＣＩはセル固有であり、複数のサービングセルはＰＤＣＣＨのための同じＴＣＩ状態で構成することができ、サービングセルにわたるＰＤＣＣＨのＴＣＩ状態（ＰＤＣＣＨビームに対応するＤＬ  ＲＳ）は、空間送信特性を共有し）、複数のセカンダリ・サービングセルの中で、最も低いＳＣｅｌｌインデックスに関連するセカンダリ・サービングセルは、ビーム管理グループのデフォルト障害検出セルであり得る（ＰＣｅｌｌがビーム管理グループ内のセルのうちの１つ場合、これは複数のセカンダリ・サービングセルのうちのデフォルト障害検出セルとして暗黙的に仮定することができ、すなわち、ネットワークによる明示的な指示または構成なしに仮定することができる）。いくつかの実施形態では、ビーム管理グループ内のサービングセルのセットがＢＦＤ−ＲＳ構成を共有することができる。例えば、ＢＦＤ−ＲＳは（ＰＤＣＣＨのためのＴＣＩ状態に基づいて）暗黙的に、または障害検出のために使用されるリソースのセットを割り当てることによって明示的に構成され得る。本発明の技法は無線リンクモニタリングにも適用することができ、例えば、ＢＦＤ−ＲＳ構成の代わりに、またはそれに加えて、ＲＬＭ−ＲＳ（ＤＬ  ＲＳのリスト）を使用することができる。いくつかの実施形態ではビーム管理目的と同じグループ分けが、無線リンクモニタリングのために使用されることができる。
【００２８】
図３は、ビーム管理グループに関連付けられたビーム障害回復手順を実行するユーザ装置の例示的な方法を示す。ステップ３１０において、ユーザ装置は、１つ以上のサービングセルを備えるビーム管理グループを決定することができる。いくつかの実施形態では、１つ以上のサービングセルがプライマリ・サービングセルおよび１つ以上のセカンダリ・サービングセルのうちの１つ以上とすることができる。
【００２９】
いくつかの実施形態では、１つ以上のサービングセルが１つ以上のビーム管理グループ、たとえば、第１のビーム管理グループおよび第２のビーム管理グループに関連付けられることができ、ビーム管理グループに関連付けられた１つ以上のサービングセルは１つ以上の特性を共有する。例えば、ビーム管理グループは、１つ以上の共通ＴＣＩ状態ＰＤＣＣＨ、１つ以上のＴＡＧ、および／または１つ以上の共通ＢＦＤ−ＲＳを共有する１つ以上のサービングセルとして規定され得る。いくつかの実施形態では、１つ以上の共通ＢＦＤ−ＲＳがネットワークによって規定され得るダウンリンク基準信号であってもよく、代替的にまたは追加的に、ユーザ装置によって生成され得る。いくつかの実施形態では、１つ以上のビーム管理グループがＲＲＣシグナリングおよび／またはＴＡＧによって規定され得る。
【００３０】
いくつかの実施形態では、ビーム管理グループ内のプライマリ・サービングセルが、ビーム管理グループのデフォルト／暗黙的に仮定された（すなわち、明示的な指示または構成なしに仮定された）障害検出セルであり得る。いくつかの実施形態では、第２のビーム管理グループが複数のセカンダリ・セルなどの複数のセカンダリ・サービングセルを有するが、プライマリ・セルを有さず、複数のセカンダリ・サービングセルの各々は（ＢＦＤ−ＲＳの、またはネットワークによる明示的な構成による）ＰＤＣＣＨのためのＴＣＩ状態に関連付けられることができ、複数のセカンダリ・サービングセルのうちのＳＣｅｌｌインデックスなどの最低インデックスに関連付けられたサービングセルは、第２のビーム管理グループのデフォルト／暗黙的に仮定された（すなわち、明示的な指示または構成なしで仮定された）障害検出セルであることができる。
【００３１】
いくつかの実施形態では、ビーム管理グループに関連する１つ以上のサービングセルが時間とともに変化し得、１つ以上のサービングセルはビーム管理グループに追加され得るか、またはビーム管理グループから除去され得る。いくつかの実施形態では、ビーム管理グループが、サービングセルがビーム管理グループに関連するための特性要件を有することができる。例えば、特性要件は、静的であってもよく、および／または経時的に変化することができる。様々な実施形態では、ビーム管理グループが１つ以上の共通のＴＣＩ状態ＰＤＣＣＨを共有する１つ以上のサービングセルによって１回目に規定され得、共通のビーム障害検出基準信号を共有する１つ以上のサービングセルによって２回目に規定され得る。様々な実施形態では、ビーム管理グループが共通のビーム障害検出基準信号を共有する１つ以上のサービングセルによって１回目に規定されることができ、１つ以上の共通のＴＣＩ状態ＰＤＣＣＨを共有する１つ以上のサービングセルによって２回目に規定されることができる。いくつかの実施形態では、ビーム管理グループ（または無線リンク監視グループ）がＲＲＣおよび／またはＲＲＣ＋ＭＡＣ信号を使用してネットワークによって明示的に構成され得る。いくつかの実施形態では、１つ以上のサービングセルがビーム管理グループによって必要とされる特性をもはや有しないビーム管理グループから除去され、および／またはビーム管理グループによって必要とされる特性を満たす追加され得る。
【００３２】
ステップ３２０において、ユーザ装置は、ビーム管理グループの少なくとも１つのサービングセル上のビーム障害を検出することができる。ステップ３３０において、ユーザ装置は、ビーム管理グループの少なくとも１つのサービングセル上のビーム障害を検出することができる。
【００３３】
ステップ３４０において、少なくとも１つのビーム障害回復応答を受信することに応答して、ユーザ装置は、ビーム管理グループに関連付けられた１つ以上のサービングセルのそれぞれについて、ビーム障害回復手順を終了することができる。いくつかの実施形態では、ユーザ装置が、いくつかの事前規定された条件が適用される場合、ビーム管理グループに関連付けられたサービングセルのうちの１つ以上のためにビーム障害回復手順終了を実行しないことがある。いくつかの実施形態では、ビーム障害回復応答が、ビーム管理グループ内のサービングセルのうちの１つから、ユーザ装置に関連付けられたセル無線ネットワーク一時識別子にアドレス指定された物理ダウンリンク制御チャネルとすることができる。いくつかの実施形態では、ビーム障害回復応答が、ビーム障害回復要求が送信されるサービングセルからのユーザ装置のセル無線ネットワーク一時識別子にアドレス指定された物理ダウンリンク制御チャネルである。ユーザ装置のセル無線ネットワーク一時識別子にアドレス指定される物理ダウンリンク制御チャネルは、アップリンク許可またはダウンリンク割り当てのうちの少なくとも１つを備えることができる。これは、ＭＡＣエンティティが下位レイヤから物理ダウンリンク制御チャネル伝達の通知を受信することに先行し得る。
【００３４】
図４は、１つ以上のサービングセルを備えるビーム管理グループに関連するビーム障害回復手順を実行するサービングセルの例示的な方法を示す。ステップ４１０において、サービングセルは、ユーザ装置からビーム障害回復要求を受信することができる。いくつかの実施形態では、１つ以上のサービングセルがプライマリ・サービングセルおよび１つ以上のセカンダリ・サービングセルのうちの１つ以上とすることができる。
【００３５】
いくつかの実施形態では、サービングセルが１つ以上のビーム管理グループ、たとえば、第１のビーム管理グループおよび第２のビーム管理グループに関連付けられ得、ビーム管理グループに関連付けられたサービングセルは１つ以上の特性を共有する。例えば、ビーム管理グループは、１つ以上の共通ＴＣＩ状態ＰＤＣＣＨ、１つ以上の共通ＴＡＧ、および／または１つ以上の共通ＢＦＤ−ＲＳを共有する１つ以上のサービングセルとして規定され得る。いくつかの実施形態では、共通ＢＦＤ−ＲＳがネットワークによって規定され得るか、またはユーザ装置によって生成され得るダウンリンク基準信号であり得る。いくつかの実施形態では、ビーム管理グループが明示的なＲＲＣシグナリングおよび／またはＲＲＣ＋ＭＡＣシグナリングによって規定され得る。
【００３６】
いくつかの実施形態では、ビーム管理グループに関連する１つ以上のサービングセルが時間とともに変化し得、１つ以上のサービングセルはビーム管理グループに追加され得るか、またはビーム管理グループから除去され得る。いくつかの実施形態では、ビーム管理グループがサービングセルがビーム管理グループに関連するための特性要件を有することができる。例えば、特性要件は、経時的に変化しても変化しなくてもよい。様々な実施形態では、ビーム管理グループが、共通のＴＣＩ状態ＰＤＣＣＨ、例えば、ＰＤＣＣＨビームに対応するダウンリンクＲＳを共有する１つ以上のサービングセルによって１回目に規定されることができ、共通のビーム障害検出基準信号を共有する１つ以上のサービングセルによって２回目に規定されることができる。様々な実施形態では、ビーム管理グループが共通のビーム障害検出基準信号を共有する１つ以上のサービングセルによって１回目に規定されることができ、１つ以上の共通のＴＣＩ  ＰＤＣＣＨを共有する１つ以上のサービングセルによって２回目に規定されることができる。いくつかの実施形態では、１つ以上のサービングセルがビーム管理グループによって必要とされる特性をもはや有しないビーム管理グループから除去され、および／または、ビーム管理グループによって必要とされる特性を満たす追加され得る。
【００３７】
ステップ４２０において、サービングセルは、少なくとも１つのビーム障害回復応答をユーザ装置に送信することができる。いくつかの実施形態では、ビーム障害回復応答が、ビーム管理グループの１つ以上のサービングセルのそれぞれについてビーム障害回復手順を終了するようにユーザ装置に命令することができる。
【００３８】
図５は、単一ビーム管理グループ内にプライマリ・サービングセルおよび１つ以上のセカンダリ・サービングセルを有するシステムを示す。特に、図５は、ビーム障害検出及び回復のためにダウンリンク基準信号を使用する際のクロスキャリア、空間準共位置技術の使用を図示する。いくつかの実施形態では、下りリンク基準信号は、１つ以上のチャネル状態情報基準信号（ＣＳＩ−ＲＳ）、１つ以上の物理ブロードキャスト・チャネル（ＰＢＣＨ）ブロック、および／または１つ以上の同期信号（ＳＳ）ブロックであることができる。ダウンリンク基準信号は、プライマリ・サービングセルおよび／または１つ以上のセカンダリ・サービングセルによって送信され得る。いくつかの実施形態では、ビーム管理グループがプライマリ・サービングセルおよび／または１つ以上のセカンダリ・サービングセルを備えることができる。例えば、図５に示すビーム管理グループは、プライマリ・サービングセル（ＰＣｅｌｌ）と、１−Ｎセカンダリ・サービングセル（ＳＣｅｌｌ１−Ｎ）とを含む。他の実施形態では、ビーム管理グループに含まれるプライマリ・サービスセル及びセカンダリ・サービスセルの数は様々である。
【００３９】
図６は、少なくとも１つのビーム管理グループを有するシステムを示す。具体的には、第１のビーム管理グループがＰＣｅｌｌおよび１つ以上のＳＣｅｌｌ１−Ｎを有することができるが、ここで、第２のビーム管理グループはＰＣｅｌｌを有することができないが、１つ以上のＳＣｅｌｌ１−Ｎを有することができる。いくつかの実施形態では、ダウンリンク基準信号が１つ以上のチャネル状態情報リファレンス信号（ＣＳＩ−ＲＳ）、１つ以上の同期信号／物理ブロードキャスト・チャネル（ＳＳ／ＰＢＣＨ）ブロック、ブロックインデックス、またはブロックタイムロケーションインデックスとすることができる。ダウンリンク基準信号は、プライマリ・サービングセルおよび／または１つ以上のセカンダリ・サービングセルによって送信され得る。いくつかの実施形態では、ビーム管理グループがプライマリ・サービングセルおよび／または１つ以上のセカンダリ・サービングセルを備えることができる。
【００４０】
本発明の特定の実施形態は、様々な利益および／または利点を有することができる。例えば、特定の実施形態は、コンピュータ関連技術の改善、具体的には、誤った基準信号に基づくビーム障害回復手順の終了を回避するとともに、複数のサービングセルのためのビーム障害回復を回避することによって指示される。
【００４１】
当業者であれば、上述の特定の実施形態が、異なる順序のステップで、および／または開示されたものとは異なる構成のハードウェア要素で実施され得ることを容易に理解するのであろう。したがって、当業者には、本発明の趣旨および範囲内に留まりながら、特定の修正、変形、および代替構成が存在することは明らかであろう。したがって、本発明の境界を決定するために、添付の特許請求の範囲を参照すべきである。
【００４２】
［部分的用語集］
３ＧＰＰ：第三世代パートナーシップ・プロジェクト
ＢＦＤ−ＲＳ：ビーム障害検出基準信号
ＢＦＲ：ビーム障害回復
ＢＦＲＱ：ビーム障害回復クエリ
ＢＦＲＲ：ビーム障害回復要求
ＢＭＧ：ビーム管理グループ
ＣＡ：キャリア・アグリゲーション
ＣＢＲＡ：コンテンションベース・ランダムアクセス
ＣＣＳ：クロス・キャリア・スケジューリング
ＣＥ：カバレッジ強化
ＣＦＲＡ：コンテンション・フリー・ランダムアクセス
ＣＩＦ：キャリアインジケータフィールド
Ｃ−ＲＮＴＩ：セル無線ネットワーク一時識別子
ＣＳＩ−ＲＳ：チャネル状態情報基準信号
ＤＣＩ：ダウンリンク制御情報
ＤＬ：ダウンリンク
ＤＭＲＳ：復調基準信号
Ｅ−ＵＴＲＡＮ：進化型ＵＭＴＳ地上無線アクセスネットワーク
ＨＡＲＱ：ハイブリッド自動リピート要求
ＭＡＣ：メディアアクセス制御
ＮＡＳ：非アクセスストラタム
ＮＲ：新ラジオ
ＮＷ：ネットワーク
ＰＢＣＨ：物理ブロードキャスト・チャネル
ＰＣＣ：プライマリ・コンポーネント・キャリア
ＰＣｅｌｌ：プライマリ・セル
ＰＤＣＣＨ：物理ダウンリンク制御チャネル
ＰＵＣＣＨ：物理アップリンク制御チャネル
ＱＣＬ：疑似ロケーション
ＲＡ：ランダムアクセス
ＲＡＣＨ：ランダムアクセスチャネル
ＲＡＮ４：無線アクセスネットワーク作業部会４
ＲＡＴ：無線アクセス技術
ＲＢ：リソースブロック
ＲＮＴＩ：無線ネットワーク一時識別子
ＲＲＣ：無線リソース制御
ＲＲＨ：リモート無線ヘッド
ＲＳ：基準信号
ＳＣｅｌｌ：セカンダリ・セル
ＳＳ：同期信号
ＰＳＳ：プライマリ同期信号
ＳＳＳ：セカンダリ同期信号
ＴＡＧ：タイミング・アドバンス・グループ
ＴＣＩ：伝送構成インデックス
ＵＥ：ユーザ装置
ＵＬ：アップリンク
ＵＭＴＳ：ユニバーサル・モバイル・テレコミュニケーション・システム
【図１】
2021521703.tif 000003
【図２】
2021521703.tif 000004
【図３】
2021521703.tif 000005
【図４】
2021521703.tif 000006
【図５】
2021521703.tif 000007
【図６】
2021521703.tif 000008
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
ユーザ装置によって、１つ以上のサービングセルを備えるビーム管理グループを決定するステップと、
前記ユーザ装置によって、前記ビーム管理グループの少なくとも１つのサービングセル上のビーム障害を検出するステップと、
前記ユーザ装置によって、ビーム障害回復要求を前記少なくとも１つのサービングセルに伝達するステップと、
を含む方法。
【請求項２】
物理ダウンリンク制御チャネルを介して、前記ビーム管理グループの前記少なくとも１つのサービングセルのうちの少なくとも１つからビーム障害回復応答の受信に応じて、前記ユーザ装置により、前記ビーム管理グループの前記１つ以上のサービングセルのそれぞれのビーム障害回復手順を終了するステップを、さらに含む、請求項１に記載の方法。
【請求項３】
前記１つ以上のサービングセルは、１つ以上のプライマリ・サービングセルおよび１つ以上のセカンダリ・サービングセルである、請求項１または２に記載の方法。
【請求項４】
前記ビーム管理グループは、タイミング・アドバンス・グループに関連付けられる、請求項１ないし３のいずれか１項に記載の方法。
【請求項５】
前記ビーム管理グループの前記１つ以上のサービングセルは、物理ダウンリンク制御チャネルのための共通の送信構成インデックス状態を共有する、請求項１ないし４のいずれか１項に記載の方法。
【請求項６】
前記ビーム管理グループの前記１つ以上のサービングセルは、共通のビーム障害検出基準信号を共有する、請求項１ないし４のいずれか１項に記載の方法。
【請求項７】
前記ビーム障害検出基準信号は、ネットワークによって規定されるダウンリンク基準信号である、請求項６に記載の方法。
【請求項８】
前記ビーム管理グループは、１回目において、物理ダウンリンク制御チャネルのための共通の伝達構成インデックス状態を共有する１つ以上のサービングセルによって規定され、２回目において、共通のビーム障害検出基準信号を共有する１つ以上のサービングセルによって規定される、請求項１ないし７のいずれか１項に記載の方法。
【請求項９】
前記ビーム管理グループは、無線リソース制御信号によって規定される、請求項１ないし８のいずれか１項に記載の方法。
【請求項１０】
前記ビーム障害回復応答は、前記ユーザ装置に関連付けられたセル無線ネットワーク一時識別子にアドレス指定された物理ダウンリンク制御チャネル・メッセージを備える、請求項２に記載の方法。
【請求項１１】
前記ビーム障害回復応答は、前記ビーム障害回復要求が送信される前記少なくとも１つのサービングセルのうちの少なくとも１つからの前記ユーザ装置のセル無線ネットワーク一時識別子にアドレス指定された物理ダウンリンク制御チャネル・メッセージである、請求項２または１０に記載の方法。
【請求項１２】
前記ビーム管理グループ内のプライマリ・セルは、前記ビーム管理グループの障害検出セルである、請求項１ないし１１のいずれか１項に記載の方法。
【請求項１３】
第２のビーム管理グループは複数のセカンダリ・サービングセルを有し、少なくとも１つのセカンダリ・サービングセルは、障害検出セルとして構成される、請求項１ないし１２のいずれか１項に記載の方法。
【請求項１４】
前記ユーザ装置は、１つ以上の追加のビーム管理グループに関連する１つ以上のサービングセルと通信状態である、請求項１ないし１３のいずれか１項に記載の方法。
【請求項１５】
１つ以上のサービングセルを備えるビーム管理グループのサービングセルによって、
ユーザ装置からのビーム障害回復要求を受信するステップと、
前記サービングセルによって、物理ダウンリンク制御チャネルを介して、１つ以上のビーム障害回復応答をユーザ装置に送信するステップであって、前記１つ以上のビーム障害回復応答は、前記１つ以上のビーム障害回復応答の受信に応答して、前記ビーム管理グループまたは別のビーム管理グループのビーム障害回復手順を終了するように前記ユーザ装置に命令する、ステップと、
を含む、方法。
【請求項１６】
前記１つ以上のサービングセルは、１つ以上のプライマリ・サービングセルおよび１つ以上のセカンダリ・サービングセルである、請求項１５に記載の方法。
【請求項１７】
前記１つ以上のサービングセルのそれぞれが、第１のビーム管理グループまたは第２のビーム管理グループに関連付けられる、請求項１５または１６に記載の方法。
【請求項１８】
前記ビーム管理グループは、物理ダウンリンク制御チャネルのための共通の送信構成インデックス状態を共有する１つ以上のサービングセルとして規定される、請求項１５ないし１７のいずれか１項に記載の方法。
【請求項１９】
前記ビーム管理グループは、共通のビーム障害検出基準信号を共有する１つ以上のサービングセルとして規定される、請求項１５ないし１７のいずれか１項に記載の方法。
【請求項２０】
前記ビーム管理グループは、１回目において、物理ダウンリンク制御チャネルのための共通の伝達構成インデックス状態を共有する１つ以上のサービングセルによって規定され、２回目において、共通のビーム障害検出基準信号を共有する１つ以上のサービングセルによって規定される、請求項１５ないし１９のいずれか１項に記載の方法。
【請求項２１】
前記ビーム障害回復応答は、前記ビーム管理グループ内の前記サービングセルのうちの１つから、前記ユーザ装置に関連付けられたセル無線ネットワーク一時識別子にアドレス指定された物理ダウンリンク制御チャネル・メッセージを備える、請求項１５ないし２０のいずれか１項に記載の方法。
【請求項２２】
前記ビーム管理グループ内のプライマリ・セルは、前記ビーム管理グループの障害検出セルである、請求項１５ないし２１のいずれか１項に記載の方法。
【請求項２３】
第２のビーム管理グループは複数のセカンダリ・サービングセルを有し、前記複数のセカンダリ・サービングセルに関連する前記セカンダリ・サービングセルインデックスのうちの最も低いセルインデックスに関連する該セカンダリ・サービングセルは、障害検出セルである、請求項１５ないし２２のいずれか１項に記載の方法。
【請求項２４】
少なくとも１つのプロセッサと、コンピュータプログラムコードを含む少なくとも１つのメモリとを含む装置であって、前記少なくとも１つのメモリと、前記コンピュータプログラムコードとは、前記少なくとも１つのプロセッサを用いて、前記装置に、少なくとも、請求項１ないし２３のいずれか１項に記載の方法を実行させるように構成されている、装置。
【請求項２５】
ハードウェアで実行されるときに、請求項１ないし２３のいずれか１項に記載の方法を実行する、非一時的コンピュータ可読メディア符号化命令。
【請求項２６】
請求項１ないし２３のいずれか１項に記載の方法を実施するための手段を備える装置。
【国際調査報告】
2021521703.tif 000009
2021521703.tif 000010